(57)【要約】【課題】簡易な構造の振動ダイナモ装置およびチャイム装置を提供すること。【解決手段】振動ダイナモ装置（２）は、筒状部材（２０）と、筒状部材（２０）の外周に配置されたコイル（３１）と、筒状部材（２０）に沿って上下方向に弾性的に振動可能な弾性体（４０）と、弾性体（４０）の中央部を上下から挟むように配置され、磁力によって互いに吸引保持される永久磁石（５１）および磁性体（５２）とを備える。永久磁石（５１）または磁性体（５２）のうちの少なくともいずれか一方は、弾性体（４０）の振動に伴って、コイル（３１）内を往復移動するものである。【選択図】図１
2019213279.tif 000002
【特許請求の範囲】
【請求項１】
上下方向に延びる内部空間を有する非磁性体の筒状部材と、
前記筒状部材の外周に配置されたコイルと、
前記筒状部材に支持された外縁部と、前記筒状部材の内部空間に位置する中央部とを有し、前記筒状部材に沿って上下方向に弾性的に振動可能な弾性体と、
前記弾性体の中央部を上下から挟むように配置され、磁力によって互いに吸引保持される永久磁石および磁性体とを備え、
前記永久磁石または前記磁性体のうちの少なくともいずれか一方は、前記弾性体の振動に伴って、前記コイル内を往復移動するものである、振動ダイナモ装置。
【請求項２】
前記永久磁石および前記磁性体は、球体である、請求項１に記載の振動ダイナモ装置。
【請求項３】
前記永久磁石は円柱体であり、前記磁性体は球体である、請求項１に記載の振動ダイナモ装置。
【請求項４】
前記磁性体は、永久磁石である、請求項１〜３のいずれかに記載の振動ダイナモ装置。
【請求項５】
前記弾性体は、板状のゴムであり、前記外縁部と前記中央部との間には、リング状の隙間が設けられ、
前記隙間には、前記外縁部と前記中央部とを連結する連結部が複数設けられている、請求項１〜４のいずれかに記載の振動ダイナモ装置。
【請求項６】
前記筒状部材は、上下に２つ設けられ、
一方の前記筒状部材は、前記内部空間に前記永久磁石を配置し、他方の前記筒状部材は、前記内部空間に前記磁性体を配置する、請求項１〜５のいずれかに記載の振動ダイナモ装置。
【請求項７】
請求項１〜６のいずれかに記載の振動ダイナモ装置と、
前記振動ダイナモ装置を収容し、上面および底面を含む筐体と、
前記筐体の上面から上方に突出し、前記振動ダイナモ装置の上方に位置し、前記振動ダイナモ装置と接する押ボタンと、
前記筐体の底面と前記振動ダイナモ装置の間に設けられ、前記振動ダイナモ装置を上方に付勢するバネ部材と、
前記コイルによって発生した電流により音を発生させる音発生装置とを備える、チャイム装置。
【発明の詳細な説明】
【技術分野】
【０００１】
この発明は、振動ダイナモ装置およびチャイム装置に関する。
【背景技術】
【０００２】
従来より、振動エネルギーを電気エネルギーに変換する発電方式として、電磁誘導を利用する方式、圧電素子を利用する方式、静電誘導を利用する方式などがある。電磁誘導を利用する方式は、振動によってコイルと磁石との相対的な位置を変化させて、コイルに生じる電磁誘導によって発電する方式である。このような技術として、例えば、特開２０１４−１５５３６３号公報（特許文献１）、特開２０１７−１９２２７１号公報（特許文献２）、実用新案登録第３２０９３６０号公報（特許文献３）などが挙げられる。
【０００３】
特許文献１には、外部エネルギーの伸縮力を利用し、コイルに誘導電流を発生させる発電方法が開示されている。特許文献２には、コイルバネを解放することによって、マグネットがコイルに対して相対移動することで、コイル内に電力が発生することが開示されている。特許文献３には、永久磁石が基台の振動により電磁コイル内で揺動することにより発電することが開示されている。
【先行技術文献】
【特許文献】
【０００４】
【特許文献１】特開２０１４−１５５３６３号公報
【特許文献２】特開２０１７−１９２２７１号公報
【特許文献３】実用新案登録第３２０９３６０号公報
【発明の概要】
【発明が解決しようとする課題】
【０００５】
上記した特許文献１〜３の振動発電機は、様々な部材が必要であり、構造が複雑であった。
【０００６】
本発明は、上記のような課題を解決するためになされたものであって、その目的は、簡易な構造の振動ダイナモ装置およびチャイム装置を提供することを目的とする。
【課題を解決するための手段】
【０００７】
本発明の一態様に係る振動ダイナモ装置は、上下方向に延びる内部空間を有する非磁性体の筒状部材と、筒状部材の外周に配置されたコイルと、筒状部材に支持された外縁部と、筒状部材の内部空間に位置する中央部とを有し、筒状部材に沿って上下方向に弾性的に振動可能な弾性体と、弾性体の中央部を上下から挟むように配置され、磁力によって互いに吸引保持される永久磁石および磁性体とを備え、永久磁石または磁性体のうちの少なくともいずれか一方は、弾性体の振動に伴って、コイル内を往復移動するものである。
【０００８】
好ましくは、永久磁石および磁性体は、球体である。
【０００９】
好ましくは、永久磁石は円柱体であり、磁性体は球体である。
【００１０】
好ましくは、磁性体は、永久磁石である。
【００１１】
好ましくは、弾性体は、板状のゴムであり、外縁部と中央部との間には、リング状の隙間が設けられ、隙間には、外縁部と中央部とを連結する連結部が複数設けられている。
【００１２】
好ましくは、筒状部材は、上下に２つ設けられ、一方の筒状部材は、内部空間に永久磁石を配置し、他方の筒状部材は、内部空間に磁性体を配置する。
【００１３】
本発明の一態様に係るチャイム装置は、振動ダイナモ装置と、振動ダイナモ装置を収容し、上面および底面を含む筐体と、筐体の上面から上方に突出し、振動ダイナモの上方に位置し、振動ダイナモと接する押ボタンと、筐体の底面と振動ダイナモ装置の間に設けられ、振動ダイナモ装置を上方に付勢するバネ部材と、コイルによって発生した電流により音を発生させる音発生装置とを備える。
【発明の効果】
【００１４】
本発明によれば、簡易な構造の振動ダイナモ装置およびチャイム装置を提供することができる。
【図面の簡単な説明】
【００１５】
【図１】本発明の実施の形態１に係るスイッチ装置を概略的に示す断面図である。
【図２】本発明の実施の形態１における弾性体を示す図であり、（ａ）は平面図であり、（ｂ）は図２（ａ）におけるＩＩｂ−ＩＩｂ線に沿った断面図である。
【図３】本発明の実施の形態１に係るスイッチ装置の模式的な回路図である。
【図４】本発明の実施の形態１に係るスイッチ装置の動作を示す図である。
【図５】本発明の実施の形態２に係るスイッチ装置を概略的に示す断面図である。
【図６】本発明の実施の形態３に係るスイッチ装置を概略的に示す断面図である。
【図７】本発明の実施の形態３に係るスイッチ装置の変形例を概略的に示す断面図である。
【図８】本発明の実施の形態４に係るスイッチ装置を概略的に示す断面図である。
【図９】本発明の実施の形態５に係るスイッチ装置を概略的に示す断面図である。
【発明を実施するための形態】
【００１６】
本発明の実施の形態について図面を参照しながら詳細に説明する。なお、図中同一または相当部分には同一符号を付してその説明は繰り返さない。
【００１７】
本実施の形態では、振動ダイナモ装置がチャイム装置に用いられる例について説明する。
【００１８】
＜実施の形態１＞
図１および図２を参照して、本発明の一実施の形態に係るチャイム装置１の概略構成について説明する。なお、図１において、矢印Ａで示す方向を上下方向という。チャイム装置１は、音などを発生させる装置であり、たとえば電池不要のワイヤレスチャイムである。
【００１９】
本実施の形態に係るチャイム装置１は、振動ダイナモ装置２と、振動ダイナモ装置２を収容する筐体１０と、押ボタン１４と、バネ部材１５と、音発生装置６３（図３）とを備える。
【００２０】
筐体１０は、全体として箱状であり、側面１１と、側面１１の上端縁に連結する上面１２と、側面１１の下方に位置する底面１３とを含む。筐体１０の下方は、開放されている。上面１２の略中央部には、押ボタン１４が配置される開口が設けられている。底面１３は、筐体１０の下方の開放端を被覆する蓋部としての役割を果たす。
【００２１】
押ボタン１４は、筐体１０の上面１２から上方に突出し、振動ダイナモ装置２の上方に位置し、振動ダイナモ装置２と接する。押ボタン１４を押圧することにより、振動ダイナモ装置２を上下方向に移動させることができる。
【００２２】
バネ部材１５は、筐体１０の底面１３と振動ダイナモ装置２の下端との間に設けられ、振動ダイナモ装置２を上方に付勢する。バネ部材１５は、たとえば、コイルばねであることが好ましい。バネ部材１５は、非磁性体である。これにより、バネ部材１５は、振動ダイナモ装置２の発電に何ら影響を与えることがない。
【００２３】
図３に示す音発生装置６３は、振動ダイナモ装置２で発電した電流により、音を発生させるものである。詳細は、後述する。
【００２４】
続いて、筐体１０内に収容される振動ダイナモ装置２について詳細に説明する。振動ダイナモ装置２は、筒状部材２０と、筒状部材の外周に配置されたコイル３１と、弾性体４０と、第１振動部材５１と、第２振動部材５２とを備える。筒状部材２０の下端部には閉塞部材２４が配置されている。なお、閉塞部材２４は、たとえば反発部材であってもよいし、弾性部材であってもよい。
【００２５】
筒状部材２０は、上下方向に延び、後述する内部空間２２，２３を有する。なお、筒状部材２０の外形状および内形状（中空形状）は特に限定されず、断面視において円形、矩形などが挙げられる。また、本実施の形態の筒状部材２０の内径（中空形状の直径）は、後述する第１振動部材５１の外径よりもやや大きい。
【００２６】
筒状部材２０は、非磁性体で形成されている。非磁性体とは、強磁性体ではない物質で、常磁性体、反磁性体および反強磁性体を含む。非磁性体として、例えば、アルミニウムなどの金属、プラスチックなどの合成樹脂などが挙げられる。
【００２７】
筒状部材２０は、上下に２つ設けられる。具体的には、筒状部材２０は、下方に位置する下筒状部材２１と、上方に位置する上筒状部材２５とを含む。下筒状部材２１と上筒状部材２５の外形状は、断面視において円柱形状（円柱体）であり、その幅方向（たとえば紙面左右方向）長さは、略同一である。具体的には、下筒状部材２１は、大きさの異なる内部空間２２，２３を有する。内部空間２２は、上方に開放する大空間であり、内部空間２３は、内部空間（大空間）２２の下方に位置し、内部空間（大空間）２２よりも内径が小さい小空間である。上筒状部材２５もまた、内部空間２６を有する。内部空間２６は、下筒状部材２１の内部空間（大空間）２２と同じ大きさである。
【００２８】
下筒状部材２１は、上端が開放しており、下端が上述した閉塞部材２４により閉塞されている。また、上筒状部材２５は、上端および下端が開放している。上筒状部材２５の上端は、上述した押ボタン１４の下端に接している。下筒状部材２１の上端と上筒状部材２５の下端との間には、弾性体４０が設けられている。
【００２９】
弾性体４０は、筒状部材２０に沿って上下方向に弾性的に振動可能である。図２を特に参照して、弾性体４０は、板状のゴムであり、たとえばオゾン劣化等を考慮して、シリコンゴム等の合成ゴムであることが好ましい。弾性体４０は、第１，２振動部材５１，５２の外形の大きさによって異なるが、薄い方が好ましく、その厚みは、たとえば、０．０８ｍｍ以上であり、たとえば、２ｍｍ以下、好ましくは０．８ｍｍ以下である。また、弾性体４０の硬度は、デュロメータＡ硬度で９０°以下であることが好ましい。また、弾性体４０の外形は、平面視略円形状である。弾性体４０は、外縁部４３と、筒状部材２０の内部空間２２，２６に位置する中央部４１とを有する。具体的には、外縁部４３は、下筒状部材２１と上筒状部材２５との間に挟まれている。これにより、弾性体４０は、筒状部材２０に支持される。
【００３０】
外縁部４３と中央部４１との間には、リング状の隙間が設けられ、その隙間には、外縁部４３と中央部４１とを連結する連結部４２が複数設けられている。これにより、外縁部４３と中央部４１との間には、たとえば６つの貫通穴４４が設けられる。複数の貫通穴４４および連結部４２が設けられることで、弾性体４０は、撓みやすくなり、上下に振動しやくなる。なお、外縁部４３には、外周に沿って複数の穴部４５が設けられていてもよい。下筒状部材２１の上端に設けられる突起（図示せず）が穴部４５を貫通し、上筒状部材２５の下端に設けられる凹部（図示せず）に係合することで、弾性体４０を筒状部材２０に固定することができる。
【００３１】
この下筒状部材２１の外周には、コイル３１が巻回されている。このため、下筒状部材２１は、コイル３１のボビンの役割も担う。本実施の形態のコイル３１は、下筒状部材２１の外周の一部に設けられている。具体的には、コイル３１は、下筒状部材２１の上下方向の略中央部に取り付けられる。コイル３１は、たとえば、ソレノイドコイルである。なお、コイル３１は、下筒状部材２１の全周に設けられていてもよい。
【００３２】
筒状部材２０の内部には、筒状部材２０の延在方向（図１における矢印Ａの上下方向）に沿って移動可能な状態で、第１振動部材５１および第２振動部材５２が設けられている。第１振動部材５１および５第２振動部材５２は、弾性体４０の中央部４１を上下から挟むように配置され、磁力によって互いに吸引保持される。これにより、第１振動部材５１および第２振動部材５２は、弾性体４０に保持され、弾性体４０と共に移動する。下筒状部材２１は、内部空間２２，２３に第１振動部材５１を配置し、上筒状部材２５は、内部空間２６に第２振動部材５２を配置する。
【００３３】
本実施の形態の第１振動部材５１は、永久磁石であり、半球状のＮ極とＳ極となるように着磁されている。着磁（磁化）方法は特に限定されないが、例えば、空芯コイルの中央にマグネット材料を固定し、パルス高電流を流して、軸方向に磁化する方法が挙げられる。また、永久磁石は、保磁力を有する硬磁性材料を含む磁性体である。マグネットの材料は特に限定されないが、高い磁力を示す観点から、Ｎｄ‐Ｆｅ‐Ｂ焼結磁石を用いることが好ましい。第１振動部材５１は、球体である。なお、球体とは、外形が球状であることを意味し、内部が空洞であるものを含む。
【００３４】
本実施の形態の第２振動部材５２は、ヨーク（継鉄）であり、マグネットが持つ吸着力を増幅する軟鉄であり、鉄を含んでいればよく、軟磁性材料を含む磁性体である。したがって、本実施の形態では、球体のヨークとして、鋼球を用いている。第２振動部材５２は、球体であり、第１振動部材５１よりも外径が小さい。ここでいう球体もまた、外形が球状であることを意味し、内部が空洞であるものを含む。
【００３５】
上述のように、下筒状部材２１の外周には、コイル３１が配置されている。押ボタン１４を押して手を離すと、振動ダイナモ装置２が下方に移動し、弾性体４０が小刻みに上下に振動（バウンド）を繰り返す。これにより、第１，２振動部材５１，５２は、下筒状部材２１の内部空間２２，２３において、筒状部材２０の延在方向に沿って同時に往復運動する。第１振動部材５１は、下筒状部材２１の外周に配置されたコイル３１内を通過するような往復運動をすることになるので、第１振動部材５１から発生する磁束線がコイル３１に直交し、その際に誘導起電力としての誘導電流が発生する。第１振動部材５１がコイル３１内の出入りを繰り返すので、コイル３１には交流電流が発生する。
【００３６】
図３は、チャイム装置１の等価回路図である。図３を参照して、チャイム装置１は、上述の振動ダイナモ装置２と、整流回路６１と、充電回路６２と、音発生装置６３と、スイッチ６４とを備えている。これらは全て、図１で示す筐体１０内に収容されている。
【００３７】
整流回路６１は、コイル３１（図１）の一端に設けられ、コイル３１に発生した交流電流を整流する。充電回路６２は、整流回路６１により変換された直流電流を充電する。充電回路６２には、たとえば電気二重層コンデンサが用いられる。音発生装置６３は、電流が印加されたときに音を発するものであれば特に限定されず、たとえばブザー、鈴音、音楽などを用いることができる。
【００３８】
スイッチ６４は、ユーザにより操作され、音発生装置６３の導通／非導通を切り替える。スイッチがＯＦＦの状態で押ボタン１４（図１）を押圧した場合、振動ダイナモ装置２で発生した電流は充電回路６２に蓄えられる。そのため、本実施の形態によれば、充電回路６２が充電されていれば、押ボタン１４を押圧しなくても、スイッチ６４をＯＮにすることで音発生装置６３を鳴らすことができる。
【００３９】
続いて、図１，図４を参照して、本実施の形態のチャイム装置１の動作について説明する。
【００４０】
まず、スイッチ６４（図３）をＯＮにして導通状態にする。チャイム装置１の押ボタン１４を下方に押圧すると、図４（ａ）に示すように、バネ部材１５の付勢力に反して、振動ダイナモ装置２も下方に移動する。これにより、筒状部材２０の内部空間２２，２３，２６において、第１，２振動部材５１，５２が下方に移動し、それに伴って弾性体４０も下方に伸びる。そして、図４（ｂ）に示すように、押ボタン１４から手を離すと、バネ部材１５の付勢力に伴って、振動ダイナモ装置２も上方に移動する。
【００４１】
これにより、筒状部材２０の内部空間２２，２３，２６において、第１振動部材５１および第２振動部材５２が上方に移動し、それに伴って弾性体４０も上方に移動する。さらに、弾性体４０は、バネ部材１５の上下の振動に伴って上下に振動し、第１振動部材５１および第２振動部材５２も筒状部材２０の延在方向に沿って上下に往復運動する。第１振動部材５１は下筒状部材２１の外周に配置されたコイル３１内を通過するような往復運動をすることになるので、第１振動部材５１から発生する磁束線がコイル３１に直交し、その際に誘導起電力としての誘導電流が発生する。第１振動部材５１がコイル３１内の出入りを繰り返すので、コイル３１には交流電流が発生する。
【００４２】
なお、図１，３に示すように、振動ダイナモ装置２のコイル３１に発生した交流電流は、コイル３１の両端に接続された配線（図示せず）を介して整流回路６１に伝達される。整流回路６１によって、交流電流を整流して直流電源にする全波整流が行われ、充電回路６２によって充電される。充電された電流は、スイッチ６４を介して音発生装置６３に伝達される。音発生装置６３は供給された電流によって駆動（稼働）する。このようにして、ユーザは、チャイム装置１を使用することができる。
【００４３】
本実施の形態のチャイム装置１では、コイル３１内を往復運動する第１振動部材５１を弾性体４０で上下方向に振動可能に支持するため、簡易な構造で発電することができる。
【００４４】
また、弾性体４０は、上下に振動すると、図４に示すように、伸縮運動して弾性変形を繰り返すことになる。この場合、第１，２振動部材５１，５２がいずれも球体であるため、弾性体４０を第１振動部材５１および第２振動部材５２で上下から挟んだ場合、第１，２振動部材５１，５２は、弾性体４０を介して第１，２振動部材５１，５２の外周の幅方向中央部の一点で強く吸引される。これにより、第１振動部材５１および第２振動部材５２は、弾性体４０の弾性変形を阻害しないため、弾性体４０は、効率よく上下の振動を繰り返すことが可能となる。
【００４５】
以下の実施の形態では、チャイム装置１の他の構成例について説明する。以下に実施の形態１との相違点のみ詳細に説明する。
【００４６】
＜実施の形態２＞
上記実施の形態１の振動ダイナモ装置２は、第１振動部材５１および第２振動部材５２はいずれも球体であったが、本実施の形態では、第１振動部材５１Ａの形状が異なっている。その他の構成は、実施の形態１と同様の構成であってよい。
【００４７】
図５を参照して、本実施の形態では、第１振動部材５１Ａは永久磁石であり、形状が円柱体である。なお、円柱体とは、外形が円柱状であることを意味し、内部が空洞であるものを含む。
【００４８】
この場合、第１振動部材５１Ａが円柱体、第２振動部材５２が球体であるため、弾性体４０を第１，２振動部材５１Ａ，５２で上下から挟んだ場合、第１，２振動部材５１Ａ，５２は、弾性体４０を介して、第１振動部材５１Ａの平面部分の幅方向中央部の一点、および、第２振動部材５２の外周の幅方向中央部の一点で強く吸引される。これにより、第１振動部材５１Ａおよび第２振動部材５２は、弾性体４０の弾性変形を阻害せず、弾性体４０は、効率よく振動を繰り返すことが可能となる。
【００４９】
＜実施の形態３＞
実施の形態１，２では、振動ダイナモ装置２，２Ａは、コイル３１が１つしか設けられていなかったが、上筒状部材２５Ｂに設けられていてもよい。本実施の形態では、上筒状部材２５Ｂ、第２振動部材５２Ｂおよびバネ部材１５Ｂが異なっている。その他の構成は、実施の形態１と同様の構成であってよい。
【００５０】
図６を参照して、上筒状部材２５Ｂは、下筒状部材２１と同様の構成を備える。具体的には、上筒状部材２５Ｂは、弾性体４０を境界に、上下対称に設けられる。すなわち、上筒状部材２５Ｂは、大きさの異なる内部空間２６Ｂ，２７Ｂを有する。内部空間２６Ｂは、下方に開放する大空間であり、内部空間２７Ｂは、内部空間（大空間）２６Ｂの上方に位置し、内部空間（大空間）２６Ｂよりも小さい小空間である。上筒状部材２５Ｂの上端部には閉塞部材２８Ｂが配置されている。なお、閉塞部材２８Ｂは、たとえば反発部材であってもよいし、弾性部材であってもよい。
【００５１】
この上筒状部材２５Ｂの外周には、コイル３２Ｂが巻回されている。このため、上筒状部材２５Ｂは、コイル３２Ｂのボビンの役割も担う。本実施の形態のコイル３２Ｂは、上筒状部材２５Ｂの外周の一部に設けられている。具体的には、コイル３２Ｂは、上筒状部材２５Ｂの上下方向の略中央部に取り付けられる。コイル３２Ｂは、たとえば、ソレノイドコイルである。なお、コイル３２Ｂは、上筒状部材２５Ｂの全周に設けられていてもよい。
【００５２】
本実施の形態では、第１，２振動部材５１，５２Ｂは、永久磁石であり、形状が球体である。すなわち、本実施の形態の振動ダイナモ装置２Ｂには、球体の永久磁石が２つ設けられる。第１，２振動部材５１，５２Ｂの外形の大きさは、略同一である。
【００５３】
振動ダイナモ装置２Ｂは、上筒状部材２５Ｂと下筒状部材２１とが同様の構成を備え、実施の形態１，２と比較して振動ダイナモ装置２Ｂの上下方向の長さが長くなったため、筐体１０Ｂの側面１１Ｂの上下方向の長さも長くなっている。
【００５４】
バネ部材１５Ｂは、たとえば、輪ばねである。輪ばねは、円すい面を持った内輪と外輪を交互に組み合わせ重ねたばねである。バネ部材１５Ｂの上部は、振動ダイナモ装置２Ｂの上部を固定し、バネ部材１５Ｂの下部は、筐体１０Ｂの底面１３に設けられる。これにより、バネ部材１５Ｂは、振動ダイナモ装置２Ｂを上方に付勢する。バネ部材１５Ｂは、非磁性体である。
【００５５】
この場合、本実施の形態の振動ダイナモ装置２Ｂは、コイル３１，３２Ｂが２つ設けられ、その間を永久磁石の第１，２振動部材５１，５２Ｂが往復運動するため、実施の形態１，２と比較して、発電量を大きくすることができる。また、振動部材５１，５２Ｂがいずれも球体であるため、弾性体４０を第１，２振動部材５１，５２Ｂで上下から挟んだ場合、第１，２振動部材５１，５２Ｂの外周の幅方向中央部の一点で強く吸引される。これにより、第１，２振動部材５１，５２Ｂは、弾性体４０の弾性変形を阻害せず、弾性体４０は、効率よく振動を繰り返すことが可能となる。
【００５６】
なお、実施の形態３のチャイム装置１Ｂでは、バネ部材１５Ｂとして輪ばねを用いた。しかし、図７に示すように、チャイム装置１Ｃは、実施の形態１，２と同様に、バネ部材１５としてコイルばねを用いてもよい。その他の構成は、上述した実施の形態３と同様の構成であってよい。
【００５７】
＜実施の形態４＞
上記実施の形態３の変形例では、振動ダイナモ装置２Ｂの第１，２振動部材５１，５２Ｂがいずれも球体であったが、本実施の形態では、第１，２振動部材５１Ａ，５２Ｄの形状が異なっている。その他の構成は、実施の形態３の変形例のチャイム装置１Ｃと同様の構成であってもよい。
【００５８】
図８を参照して、本実施の形態では、第１，２振動部材５１Ａ，５２Ｄは、永久磁石であり、形状が円柱体である。
【００５９】
この場合、第１，２振動部材５１Ａ，５２Ｄの形状がいずれも円柱体であるため、弾性体４０を第１，２振動部材５１Ａ，５２Ｄで上下から挟んだ場合、第１，２振動部材５１Ａ，５２Ｄの平面部分、つまり面同士で強く吸引され、吸着力が強くなる。これにより、第１，２振動部材５１Ａ，５２Ｄは、弾性体４０の弾性変形をやや阻害するものの、第１，２振動部材５１Ａ，５２Ｄで確実に上下から挟むことができるため、第１，２振動部材５１Ａ，５２Ｄが弾性体４０から外れるおそれがない。
【００６０】
＜実施の形態５＞
上記実施の形態４では、振動ダイナモ装置２Ｄは、第１，２振動部材５１Ａ，５２Ｄはいずれも円柱体であったが、本実施の形態では、第２振動部材５２Ｂの形状が異なっている。その他の構成は、実施の形態４と同様の構成であってもよい。
【００６１】
図９を参照して、本実施の形態では、第１振動部材５１Ａは、永久磁石であり、形状が円柱体である。第２振動部材５２Ｂは、永久磁石であり、形状が球体である。
【００６２】
この場合、第１振動部材５１Ａが円柱体、第２振動部材５２Ｂが球体であるため、弾性体４０を第１，２振動部材５１Ａ，５２Ｂで上下から挟んだ場合、第１振動部材５１Ａの平面の幅方向中央部、および、第２振動部材５２Ｂの外周の幅方向中央部の一点で強く吸引される。これにより、第１，２振動部材５１Ａ，５２Ｂは、弾性体４０の弾性変形を阻害せず、弾性体４０は、効率よく振動を繰り返すことが可能となる。
【００６３】
なお、実施の形態１〜５において、振動ダイナモ装置２〜２Ｅは、チャイム装置１〜１Ｅに用いられるとして説明した。しかし、振動ダイナモ装置２〜２Ｅは、チャイム装置に用いられることに限定されず、たとえば押ボタン、信号発電機など、弾性体４０の振動を利用して発電することができる様々な機器に用いることができる。
【００６４】
また、実施の形態１，２では、第２振動部材５２は、ヨークであるとして説明したが、永久磁石であってもよい。第２振動部材５２が永久磁石である場合、第１振動部材５１，５１Ａはヨークであってもよい。その場合、ヨークの第１振動部材５１がコイル３１内を往復移動する。また、実施の形態３〜５では、第１振動部材５１，５１Ａおよび第２振動部材５２Ｂ，５２Ｄはいずれも永久磁石であるとして説明したが、一方が永久磁石、他方がヨークであってもよい。実施の形態１〜５の第１振動部材５１，５１Ａおよび第２振動部材５２Ｂ，５２Ｄの外形は、上述した形状に限定されない。
【００６５】
また、実施の形態１，２では、第１振動部材５１として永久磁石が１つ設けられるとしたが、第１振動部材５１，５１Ａとして、永久磁石が２つ以上設けられていてもよい。また、実施の形態３〜５では、第１振動部材５１，５１Ａだけでなく、第２振動部材５２Ｂ，５２Ｂにおいても永久磁石が２つ以上設けられていてもよい。
【００６６】
また、実施の形態１，２では、上筒状部材２５が下筒状部材２１の上方に設けられるとしたが、上筒状部材２５は設けられなくてもよいし、スペーサ等の他の構造により第２振動部材５２が保持されていればよい。
【００６７】
また、上記実施の形態１〜５を適宜組み合わせてもよい。
【００６８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６９】
１，１Ｂ，１Ｃ，１Ｄ，１Ｅ  チャイム装置、２，２Ａ，２Ｂ，２Ｄ，２Ｅ  振動ダイナモ装置、１０，１０Ｂ  筐体、１１，１１Ｂ  側面、１２  上面、１３  底面、１４  押ボタン、１５，１５Ｂ  バネ部材、２０，２０Ｂ  筒状部材、２１  下筒状部材、２２，２３，２６，２６Ｂ，２７Ｂ  内部空間、２４，２８Ｂ  閉塞部材、２５，２５Ｂ  上筒状部材、３１，３２Ｂ  コイル、４０  弾性体、４１  中央部、４２  連結部、４３  外縁部、４４  貫通穴、４５  穴部、５１，５１Ａ  第１振動部材、５２，５２Ｂ，５２Ｄ  第２振動部材、６１  整流回路、６２  充電回路、６３  音発生装置、６４  スイッチ。
【図１】
2019213279.tif 000003
【図２】
2019213279.tif 000004
【図３】
2019213279.tif 000005
【図４】
2019213279.tif 000006
【図５】
2019213279.tif 000007
【図６】
2019213279.tif 000008
【図７】
2019213279.tif 000009
【図８】
2019213279.tif 000010
【図９】
2019213279.tif 000011